(57)【要約】      （修正有）【課題】屋根面上の非発電領域を減少させ、屋根に太陽電池素子を効率よく敷設する。【解決手段】少なくとも太陽電池素子４０２と、表面被覆材と充填材と該太陽電池素子４０２を支持する為の補強材４０１を有する太陽電池付き屋根材において、前記補強材４０１は垂下部と、平面部と、前記平面部の一端から連続したつば部４０４を有しており、前記つば部には垂下部は無く、前記つば部上と前記平面部上に、前記太陽電池素子４０２を有することを特徴とする太陽電池付き屋根材を提供する。【選択図】図４
2006037390.tif 000002
【特許請求の範囲】
【請求項１】
少なくとも太陽電池素子と、表面被覆材と充填材と該太陽電池素子を支持する為の補強材を有する太陽電池付き屋根材において、前記補強材は垂下部と、平面部と、前記平面部の一端から連続したつば部を有しており、前記つば部には垂下部は無く、前記つば部上と前記平面部上に、前記太陽電池素子を有することを特徴とする太陽電池付き屋根材。
【請求項２】
前記平面部の一端と前記垂下部の境界部に止水部材を備え付けていることを特徴とする請求項１記載の太陽電池付き屋根材。
【請求項３】
前記太陽電池素子として、薄膜太陽電池を用いることを特徴とする請求項１記載の太陽電池付き屋根材。
【請求項４】
前記太陽電池素子として、可曲性を有する太陽電池素子を用いることを特徴とする請求項２記載の太陽電池付き屋根材。
【請求項５】
前記補強板が金属であることを特徴とする請求項１記載の太陽電池付き屋根材。
【請求項６】
前記垂下部に固定部材に固定するための被固定部を有することを特徴とする請求項１記載の太陽電池付き屋根材。
【請求項７】
前記表面被覆材が前記補強材の垂下部と平面部とつば部上にあることを特徴とする請求項１記載の太陽電池付き屋根材。
【請求項８】
請求項１に記載の太陽電池付き屋根材を複数備えた屋根において、前記太陽電池付き屋根材は複数の固定部材により固定され、前記固定部材は前記太陽電池付き屋根材を固定するための固定部を有し、前記固定部材は屋根の流れ方向に平行に配置され、隣接する棟側の前記太陽電池付き屋根材のつば部は軒側の前記太陽電池付き屋根材の一部を覆っていることを特徴とする太陽電池付き屋根。
【請求項９】
請求項８に記載の太陽電池付き屋根において、前記太陽電池付き屋根材の垂下部の被固定部が前記固定部材の固定部に固定されていることを特徴とする請求項８記載の太陽電池付き屋根。
【発明の詳細な説明】
【技術分野】
【０００１】
本発明は太陽電池付き屋根材に関しており、その中でも特に太陽電池を効率よく敷設でき、また設置後の外観が良く、更には施工も簡易になるように図ったことを特徴としたものに関する。
【背景技術】
【０００２】
従来より、環境に対する意識の高まりが、世界的な広がりを見せている。中でもＣＯ２の増加による温室効果で地球の温暖化が生じることが予測され、ＣＯ２を排出しないクリーンなエネルギーが求められている。太陽電池は現在のところ、クリーンなエネルギー源として、そのクリーンさと安全性と取り扱い易さから特に期待されている。
【０００３】
近年では、太陽電池モジュールの形態として、様々なタイプが提案されてきている。従来の架台設置方式の他に、既設屋根上に架台を配置して設置する方式や、壁上装置、あるいは建材そのものに太陽電池を組み込んだ、いわゆる建材一体型太陽電池に関する技術開発等が行われている。中でも屋根材と一体となった太陽電池付き屋根材は設置架台を別途設ける必要が無いため、コストダウンを図ることができ、設置場所を別途設ける必要も無く、また屋根材と一体となっているために外観を損なうことがない、という利点があるため特に技術開発が盛んに行われている。
【０００４】
従来の太陽電池付き屋根の例として図１に示すようなものが知られている（特開平０７−１３１０４８（特許文献１））。
【０００５】
図１において１０１は太陽電池付き屋根材、１０２は金属補強板、１０３は光起電力素子、１０４は太陽電池付き屋根材１０１を固定するための固定部材、１０５は屋根下地材、１０６は棟―軒方向に隣接する太陽電池付き屋根材同士の隙間を埋めるゴム製のキャップ材である。
【０００６】
太陽電池付き屋根材１０１は金属補強板１０２上に光起電力素子１０３が樹脂封止されており、屋根材の母屋方向の両端部は固定部材に固定するために折り曲げ加工が施してある。この曲げ部の形状は、予め決められた間隔で屋根下地材１０５上に配置されている固定部材１０４に勘合する構造になっており、ビスやネジ等を使用せず、容易に屋根に固定できるようになっている。
【０００７】
図２は図１のＡ部の拡大図である。
【０００８】
棟―軒方向の隣接する太陽電池付き屋根材同士の隣接部では雨仕舞い構造とするためのゴム製のキャップ材１０６がはめ込まれている。尚、ここには図示していないが、通常は母屋方向に隣接する太陽電池付き屋根材間の隙間にもゴム製のキャップ材が固定部材の上からはめ込まれており、これにより、太陽電池付き屋根材間の全ての隙間をキャップ材で覆うことができ、雨仕舞いに対応している。
【０００９】
図３は図１のＢ−Ｂ’断面図を表している。
【００１０】
太陽電池付き屋根材の端部の長手側を下側に折り曲げて、被固定部３０１を形成した太陽電池付き屋根材は固定部材に設けられた固定部３０２に嵌合され固定される。
【特許文献１】特開平０７−１３１０４８号公報
【発明の開示】
【発明が解決しようとする課題】
【００１１】
しかしながら、図１のような太陽電池付き屋根では、図２に示したように太陽電池付き屋根材の棟―軒方向の端部の非発電領域の長さをＡとした場合、棟―軒方向に隣接する太陽電池付き屋根材が向かい合う部分の非発電領域の長さは２×Ａとなるため、屋根という有限な広さの中で太陽電池を効率よく敷設できていなかった（図１，２参照）。
【００１２】
また、図１のような太陽電池付き屋根材では、棟―軒方向の隣接部に隙間ができてしまい、雨仕舞いが悪く、棟―軒方向の太陽電池付き屋根材の隣接部にキャップ材をはめ込む必要がある。しかし、キャップ材と太陽電池付き屋根材の表面との間に段差ができてしまうため、キャップ材の棟側端部にゴミが溜まりやすいという問題があった。
【課題を解決するための手段】
【００１３】
本発明者は上記課題を解決するために研究開発を重ねた結果、次のような太陽電池付き屋根材が最良であることを見出した。すなわち本発明は、
少なくとも太陽電池素子と、表面被覆材と充填材と該太陽電池素子を支持する為の補強材を有する太陽電池付き屋根材において、前記補強材は垂下部と、平面部と、前記平面部の一端から連続したつば部を有しており、前記つば部には垂下部は無く、前記つば部上と前記平面部上に、前記太陽電池素子を有することを特徴とする太陽電池付き屋根材である。
【００１４】
また本発明者は研究開発を重ねた結果、次のような太陽電池付き屋根が最良であることを見出した。すなわち本発明の第二は、
前述した太陽電池付き屋根材を複数備えた屋根において、前記太陽電池付き屋根材は複数の固定部材により固定され、前記固定部材は前記太陽電池付き屋根材を固定するための固定部を有し、前記固定部材は屋根の流れ方向に平行に配置され、隣接する棟側の前記太陽電池付き屋根材のつば部は軒側の前記太陽電池付き屋根材の一部を覆っていることを特徴とする太陽電池付き屋根である。
【００１５】
本発明によれば、
・棟―軒方向の太陽電池付き屋根材の隣接部は、棟側の太陽電池付き屋根材のつば部が隣接する軒側の太陽電池付き屋根材の非発電領域の上に覆い被さる構造になっており、また棟側の太陽電池付き屋根材のつば部上にも太陽電池素子が敷設されているため、屋根面上の非発電領域を減少させることができる。従って、屋根に太陽電池素子を効率よく敷設することができる。
・棟側の太陽電池付き屋根材のつば部が軒側の太陽電池付き屋根材の端部と重なっており、つば部には折り曲げ部が無い為、固定部材と嵌合するための折り曲げ部が、棟―軒方向の太陽電池付き屋根材同士で重なることはなく、施工時に太陽電池付き屋根材と固定部材との嵌合が行い易く、施工性が向上する。
・棟―軒方向の太陽電池付き屋根材の隣接部は、棟側の太陽電池付き屋根材のつば部が軒側の太陽電池付き屋根材の端部を上から覆い被さる構造になっているため、雨仕舞いが良好になり、雨水の流れがゴミが隣接部に溜まることはない。
【発明の効果】
【００１６】
本発明の太陽電池付き屋根材、すなわち、少なくとも太陽電池素子と、表面被覆材と充填材と該太陽電池素子を支持する為の補強材を有する太陽電池付き屋根材において、前記補強材は垂下部と、平面部と、前記平面部の一端から連続したつば部を有しており、前記つば部には垂下部は無く、前記つば部上と前記平面部上に、前記太陽電池素子を有することを特徴とする太陽電池付き屋根材によれば以下の効果が得られる。
・棟―軒方向の太陽電池付き屋根材の隣接部は、棟側の太陽電池付き屋根材のつば部が隣接する軒側の太陽電池付き屋根材の非発電領域の上に覆い被さる構造になっており、また棟側の太陽電池付き屋根材のつば部上にも太陽電池素子が敷設されているため、屋根面上の非発電領域を減少させることができる。従って、屋根に太陽電池素子を効率よく敷設することができる。
・棟側の太陽電池付き屋根材のつば部が軒側の太陽電池付き屋根材の端部と重なっており、つば部には垂下部が無い為、固定部材と嵌合するための被固定部が、棟―軒方向の太陽電池付き屋根材同士で重なることはなく、施工時に太陽電池付き屋根材と固定部材との嵌合が行い易く、施工性が向上する。
・棟―軒方向の太陽電池付き屋根材の隣接部は、棟側の太陽電池付き屋根材のつば部が軒側の太陽電池付き屋根材の端部を上から覆い被さる構造になっているため、水の流れが良好でゴミが隣接部に溜まることはない。
【発明を実施するための最良の形態】
【００１７】
以下、本発明を図示実施の形態によりさらに詳しく説明する。尚、本発明はこの例に限られるものではない。
【００１８】
図４は本発明の太陽電池付き屋根材の概略図である。
【００１９】
図５は図４の太陽電池付き屋根材を使用し、施工した太陽電池付き屋根の概略図である。
【００２０】
図６は太陽電池付き屋根材の棟―軒側隣接部の拡大図である（図５、Ｃ部拡大図）。
【００２１】
図４において、補強材としての補強板４０１上に、太陽電池素子４０２が表面被覆材（不図示）、充填材（不図示）により封止されており、補強板４０１の短手方向の両端部は、屋根上の固定部材と嵌合するために、折り曲げ加工を施し、被固定部４０３が設けられている。また補強板４０１は長手方向の一端部に、平面部から連続したつば部４０４を有しており、つば部両端には垂下部が無い構造となっている。そしてつば部４０４上には太陽電池素子が敷設されている。
【００２２】
図５において、太陽電池付き屋根材５０１は、垂下部に設けられた被固定部が、屋根下地面５０２上に取付けられた屋根固定部材５０３と嵌合している。また図６に示すように、棟―軒方向に隣接する太陽電池付き屋根材の端部同士は、棟側の太陽電池付き屋根材のつば部が軒側の太陽電池付き屋根材端部の非発電領域上に重なるように敷設されており、端部の雨仕舞いを行っている。この為、棟―軒方向に隣接する太陽電池付き屋根材の端部でゴミが溜まることはなく、雨水の流れが良好になっている。そして、つば部（重なり部）上に太陽電池素子が敷設されているため、軒側の太陽電池付き屋根材の非発電領域上に、棟側の太陽電池付き屋根材の発電領域が重なることになり、屋根上の非発電領域が減り、太陽電池素子を屋根面に、より充填して敷設することができる。また、棟側の太陽電池付き屋根材のつば部には、垂下部が存在しないため、太陽電池付き屋根材と屋根固定部材との嵌合部において、軒側の太陽電池付き屋根材の垂下部に棟側の太陽電池付き屋根材の垂下部が重なることが無く、設置を容易にしている。
【００２３】
次に屋根の下地部の作製について説明する。レール状の屋根固定部材５０３は屋根の棟―軒方向に対し平行に、屋根の下地面、すなわち野地板５０２上にビスで固定する。屋根固定部材のピッチは、後工程で屋根材をはめ込み固定できるようにしておいた。
【００２４】
次に、本発明の太陽電池付き屋根を構成している各材料について説明する。
【００２５】
［屋根固定部材］
屋根材を野地板上へ固定するために使用する。材質としては特に限定はしないが、金属製でかつ表面は防錆防腐処理がなされていることが好ましい。一般的には亜鉛メッキ鋼板を使用する。
【００２６】
図７は屋根固定部材の概略図である。太陽電池付き屋根材の被固定部４０３が、曲げ加工によって屋根固定部材７０１に設けられた固定部７０２と嵌合し、太陽電池付き屋根材を屋根に固定する。本実施態様例では屋根固定部材は曲げ加工されており、屋根材の曲げ加工部と組み合わさることにより屋根材を機械的に固定（保持）しているが、特に曲げ形状は問わない。
【００２７】
［太陽電池付き屋根材］
図８、図９、図１０、図１１は太陽電池付き屋根材の概略図を示しており、図８は一体成型後の太陽電池付き屋根材、図９は図８のＤ−Ｄ’断面図、図１０は折り曲げ加工後の太陽電池付き屋根材。図１１は図１０のＥ−Ｅ’断面図を表している。図８において８０１は一体成型後の太陽電池付き屋根材、８０２は切り欠き部、８０３は光起電力素子（太陽電池）である。図９において９０１は光起電力素子、９０２は充填材、９０３は表面被覆材、９０４は補強材である。図１０において１００１は太陽電池付き屋根材、１００２は光起電力素子、１００３は垂下部である。
【００２８】
本太陽電池付き屋根材の形成には、まず図９のように補強材９０４の上に接着層として充填材９０２、光起電力素子９０１、そして充填材９０２、表面被覆材９０３の順に積層して、真空引き、加熱して太陽電池付き屋根材を一体成型処理する。
【００２９】
次に、一体成型された太陽電池付き屋根材の軒側の２つの角部８０２に切り欠き加工を施し、つば部を形成した後、折り曲げ加工して、図１０、図１１に示すような形状のつば付き太陽電池付き屋根材を得る。切り欠き方法について、特に限定はないが、プレス機による打ち抜きを行うことができる。これには従来の一般屋根材が加工されている機械をそのまま使用することができる。また、曲げ加工方法についても特に限定はないが、例えばローラーフォーミングやプレス、ベンダー曲げを行うことができる。これには従来の一般屋根材が加工されている機械をそのまま使用することができる。
【００３０】
次に、本発明の太陽電池付き屋根材を構成する各材料について説明する。
【００３１】
［光起電力素子］
本発明に於ける光起電力素子は、種々の公知の光起電力素子を使用できるが、好ましくは、薄膜太陽電池で、可曲性を有する光起電力素子である。例えば導電性基体上に、光変換部材としての半導体光活性層が形成されたものがある。その一例としての概略構成図を図１２に示すが、この図に於いて１２０１は導電性基体、１２０２は金属電極層、１２０３は半導体光活性層、１２０４は透明導電層、１２０５は集電電極である。
【００３２】
一般的に太陽電池付き屋根材を設置する場合、作業性の面から軽量であることが望まれている。また建材一体型や建物の外壁等へ設置するタイプの太陽電池モジュールのニーズが高まってきており、太陽電池モジュールを曲げ加工する、あるいは曲面へ設置するためにフレキシブルにすることが求められてきている。これらに対してステンレス基板上に形成された非結晶シリコンの光起電力素子は非常に適している。それは、光起電力素子自体をかなり薄くすることができ、基板を含めて０．１ｍｍ程度の厚みまで薄くすることができるため、光起電力素子を封止するための充填材の量を少なくすることができるからである。その結果、太陽電池付き屋根材の軽量化が図れ、厚みを減らすことができる。厚みを減らすことができれば、太陽電池付き屋根材を折り曲げた時の、表面被覆材に対する応力を少なくすることができる。引っ張りに対しては被覆材の亀裂を抑制し、収縮に対しては被覆材のよりを抑制することができる。またステンレス基板上に形成されているので可曲性があるため、太陽電池付き屋根材に必要以上の剛性を要求しないため、屋根材の厚みを減らすことができる。結果的にフレキシブルで折り曲げ加工に適しており、そして軽量化を図ることができる。
【００３３】
［表面被覆材］
表面被覆材に要求される特性としては透光性、耐候性があり、汚れが付着しにくいことが要求される。材料として、ガラスや耐侯性透明フィルム等が用いられる。ガラスを使用した場合、充填材が厚くなければ充填不良が起きるという問題がある。またガラスを使用した場合、重量が大きくなるだけでなく外部からの衝撃により割れやすいという問題も考えられる。また、ガラスを使用した場合、屋根材としての厚みが増し、隣接する太陽電池付き屋根材の重なり部において、機械的な応力が強く働き、太陽電池付き屋根材の信頼性を損なう可能性もある。
【００３４】
以上の理由より表面被覆材には耐候性透明フィルムが好意的に用いられる。耐候性透明フィルムを使用することにより、充填性が良くなり、軽量化が図れ、衝撃により割れない。更に垂下部にも表面被覆材を配してもよく、折り曲げ加工することで屋根材として使用することができる。さらにはフィルム表面にエンボス処理を施すことも容易で太陽光の表面反射が眩しくないという効果も生まれる。
【００３５】
材料としては、ポリエチレンテトラフルオロエチレン（ＥＴＦＥ）、ポリ３フッ化エチレン、ポリフッ化ビニルなどのフッ素樹脂フィルムなどをもちいることができるがこれに限られたものではない。充填剤との接着面には、充填剤が接着しやすいようにコロナ放電処理などの表面処理を施してもよい。
【００３６】
［充填材］
本発明で充填材は、光起電力素子を封止し補強材上に光起電力素子を接着し固定する目的で使用する。
【００３７】
充填材に要求される特性としては、熱可塑性、耐候性、熱接着性、光透過性が挙げられる。材料としては、ＥＶＡ（酢酸ビニル−エチレン共重合体）、ブチラ−ル樹脂、シリコン樹脂、フッ素樹脂、ＥＥＡ（エチレンエチルアクリレート）、ＥＭＡ（エチレンメチルアクリレート）、ＥＢＡ（エチレンブチルアクリレート）、アクリル樹脂、ウレタン樹脂ＰＶＡ（ポリビニルアルコール）などの透明な樹脂を使用することができるがこれに限られたものではない。また光劣化を抑制するために、紫外線吸収剤が含有されていることが望ましい。
【００３８】
［補強材］
太陽電池付き屋根材の最裏面側の被覆材、あるいは太陽電池の補強材として機能する。材質は例えば、アルミニウム板、ステンレス板等の他に亜鉛メッキ鋼板、ガルバリウム鋼板などのメッキ鋼板を使用できるがこれに限られたものではない。太陽電池付き屋根材では、この補強材を折り曲げ加工することにより太陽電池付き屋根材を一般の金属屋根材と同様に扱うことができる。
【実施例】
【００３９】
以下、実施例に基づき本発明を詳細に説明する。
【００４０】
（実施例１）
可曲性ステンレス基板上に形成された薄膜シリコン太陽電池を光起電力素子として用いた。
【００４１】
次に、上記作製済の光起電力素子を一体成形し、その後打ち抜き、折り曲げ加工する工程を図８、図９、図１０、図１１を用いて説明する。
【００４２】
図８、図９、図１０、図１１、は実施例１の太陽電池付き屋根材の一体成形処理〜折り曲げ加工までの作製工程を説明するための概略図である。（図中の各々の名称については実施態様例で説明済）。
【００４３】
まず一体成形処理するために太陽電池モジュールを構成する各材料を積層した。補強材としての金属補強板９０４、充填材９０２、上記のように作製した光起電力素子９０１、充填材９０２、表面被覆材９０３の順に積層した。
【００４４】
金属補強板９０４は塗装鋼板（日新製鋼製、商品名：ガルバスター、０．４ｍｍ厚）、充填材９０２はＥＶＡ（エチレンー酢酸ビニル共重合ポリマー耐候性グレード、ブリジストン社製、４６０μｍ）、表面被覆材９０３はエチレンテトラフルオロエチレン、５０μ厚、ダイキン社製、商品名：ネオフロン  ＥＦ−００５０ＳＢ１）を使用した。
【００４５】
このようにして積層した材料を一重真空方式のラミネート装置に入れ、真空引きした状態で１６０℃に加熱し、太陽電池付き屋根材を一体成形処理した。その後、冷却して一体成形後の太陽電池付き屋根材を取り出した。
【００４６】
次に一体成形された太陽電池付き屋根材８０１をプレス加工にて、角部８０２を２箇所、打ち抜いた。
【００４７】
そして、打ち抜き加工された太陽電池付き屋根材をローラーフォーマーを使用して、折り曲げ加工し、垂下部を有した図１０、図１１のような折り曲げ加工後の太陽電池付き屋根材を仕上げた。この曲げ部の形状は後工程で屋根固定部材と組み合わさるようにした。
【００４８】
図１３は上記のようにして作製した太陽電池付き屋根材の屋根面への設置を説明するための概略図である。図１３において、１３０１はキャップ部材、１３０２は本実施例１の太陽電池付き屋根材、１３０３屋根下地面、１３０４は屋根固定部材である。まず、屋根材設置面である野地板１３０３上に屋根固定部材１３０４をドリルビス（ユニクロメッキ）により固定した。屋根固定部材は亜鉛メッキ鋼板を使用した。この時、屋根固定部材の曲げ形状は屋根材が組み合わさる形であって、固定ピッチは屋根材がはめ込み固定できるようにした。
【００４９】
そして、軒側から順に太陽電池付き屋根材１３０２を屋根固定部材１３０４にはめ込み固定を行った。また、棟―軒方向に対して、棟側の太陽電池付き屋根材のつば部が軒側の太陽電池付き屋根材端部の非発電領域と重なるように敷設し、棟―軒方向の雨仕舞いを行った。
本実施例においては、棟―軒方向の太陽電池付き屋根材の隣接部はつば部により雨仕舞いが行われる為、雨仕舞いの為の部材が不要である。その為、雨仕舞いは母屋方向の太陽電池付き屋根材の隣接部で行えばよく、ゴム製のキャップ部材１３０１を、太陽電池付き屋根材の屋根面への敷設後、固定部材上から嵌めこむ事により行った。ゴム製キャップ部材１３０１はＴ字状のものを使用した。その結果、棟側の太陽電池付き屋根材と軒側の太陽電池付き屋根材の垂下部の切れ目から浸入する水を効果的に押えることができた。尚、本実施例ではゴム製キャップを用いたが、ポリブデン系、ポリプロピレン系、ブチル系、ゴムアスファルト系、等の材料を使用することができるがこれに限られたものではない。
【００５０】
（実施例２）
本実施例は折り曲げ加工まで、実施例１と同様に太陽電池付き屋根材を作製した。
【００５１】
図１４は本実施例２の太陽電池付き屋根材の受光面を裏にした時の図である。１４０１は太陽電池付き屋根材、１４０２は止水部材である。図１５は図１３のＦ部断面図である。図１５において、１５０１は止水部材、１５０２は太陽電池付き屋根材の垂下部である。平面部一端と垂下部との境界部に止水部材１４０２を設けることにより、棟―軒向に隣接する太陽電池付き屋根材の隣接部に形成される垂下部の切れ目から雨水が屋根下地面へ浸入するのを防ぐようにした。尚、本実施例では止水部材として、スポンジ状のウレタン樹脂を用いたが、他には塩化ビニル系、クロロプレンゴム系、クロロスルホルン化ポリエチレン系、エチレンプロピレンゴム系、シリコンゴム系、等の材料を使用することができるがこれに限られたものではない。
【００５２】
図１６は本実施例２で作製した太陽電池付き屋根材１６０１の屋根面への設置を説明するための概略図である。図１６において、１６０１は本実施例２の太陽電池付き屋根材、１６０２は屋根下地面、１６０３は屋根固定部材である。本実施例２では太陽電池付き屋根材の敷設まで実施例１と同様に行った。本実施例２では太陽電池付き屋根材の裏面に設けられた止水部材により、母屋方向の太陽電池付き屋根材の隣接部の雨仕舞いを行っており、別途雨仕舞いをするための部材を設ける必要が無い。
【図面の簡単な説明】
【００５３】
【図１】従来の太陽電池付き屋根の概観図
【図２】図１のＡ部拡大図
【図３】図１のＢ部断面図
【図４】本発明の太陽電池付き屋根材の概略図
【図５】本発明の太陽電池付き屋根の概略図
【図６】図５のＣ部拡大図
【図７】屋根固定部材の概略図
【図８】本発明の太陽電池付き屋根材を加工している工程図
【図９】図８のＤ部断面図
【図１０】本発明の太陽電池付き屋根材の概略図
【図１１】図１０のＥ部断面図
【図１２】本発明にかかる光起電力素子の概観構成図
【図１３】本発明の実施例１にかかる太陽電池付き屋根の概観図
【図１４】本発明の実施例２にかかる太陽電池付き屋根材の裏面概観図
【図１５】図１２のＦ部断面図
【図１６】本発明の実施例２にかかる太陽電池付き屋根の概観図
【図１】
2006037390.tif 000003
【図２】
2006037390.tif 000004
【図３】
2006037390.tif 000005
【図４】
2006037390.tif 000006
【図５】
2006037390.tif 000007
【図６】
2006037390.tif 000008
【図７】
2006037390.tif 000009
【図８】
2006037390.tif 000010
【図９】
2006037390.tif 000011
【図１０】
2006037390.tif 000012
【図１１】
2006037390.tif 000013
【図１２】
2006037390.tif 000014
【図１３】
2006037390.tif 000015
【図１４】
2006037390.tif 000016
【図１５】
2006037390.tif 000017
【図１６】
2006037390.tif 000018